(57)【要約】【課題】センサを設けることなく、ロール紙の先端部が両搬送ローラの挟持から外れてしまうのを容易に防止する。【解決手段】ロール紙３をプリンタ３０における記録部３１へ引き出す第２搬送口５ｄを被覆する被覆部材１３が閉状態となり、両搬送ローラ９によってロール紙３の先端部を挟持した状態のときに、係止ギア１０の両歯部１０ａに被覆部材１３に設けられた係止片１６が係止されることにより、ロール紙３を逆方向に搬送するための両搬送ローラ９の回転を停止させ、ロール紙３を正方向に搬送する際の係止ギア１０の回転にともなって係止片１６が係止ギア１０の両歯部１０ａから係止解除される方向に移動することにより、被覆部材１３を開状態とする。【選択図】      図３
2009113400.tif 000002
【特許請求の範囲】
【請求項１】
ロール紙が収納され、プリンタに着脱可能に装着されるロール紙カートリッジであって、
前記ロール紙を前記プリンタにおいて記録が行われる記録部へ引き出す搬送口と、
前記ロール紙を挟持する一対の搬送ローラと、
周縁部に複数の歯部が形成され、前記両搬送ローラのうち第１搬送ローラと同軸上に固着されて前記第１搬送ローラとともに回転する係止ギアと、
前記係止ギアの前記各歯部に対向し、前記搬送口を開放あるいは閉鎖しうるように開閉可能に設けられた被覆部材と、
前記係止ギアにおける前記各歯部のうち一対の歯部の間に係止されるように、前記被覆部材における前記係止ギアに対向する位置に取り付けられた係止片とを備え、
前記ロール紙を前記記録部方向への正方向、および該正方向と反対の逆方向に往復可能に搬送し、
前記被覆部材が閉状態となり、前記両搬送ローラによって前記ロール紙の先端部を挟持した状態のときに、前記係止ギアの前記両歯部に前記係止片が係止されることにより、前記ロール紙を逆方向に搬送するための前記両搬送ローラの回転を停止させ、
前記ロール紙を正方向に搬送する際の前記係止ギアの回転にともなって前記係止片が前記係止ギアの両歯部から係止解除される方向に移動することにより、前記被覆部材を開状態とすることを特徴とするロール紙カートリッジ。
【請求項２】
前記記録部における記録に用いられるインクリボンが収納されるインクリボンカセットが、一体に形成されていることを特徴とする請求項１に記載のロール紙カートリッジ。
【請求項３】
内部にロール紙が収納され、前記ロール紙を記録が行われる記録部へ引き出す搬送口と、前記ロール紙を挟持し、回転によって前記ロール紙を前記記録部方向への正方向、および該正方向と反対の逆方向に往復可能に搬送する一対の搬送ローラと、周縁部に複数の歯部が形成され、前記両搬送ローラのうち第１搬送ローラと同軸上に固着されて前記第１搬送ローラとともに回転する係止ギアと、前記搬送口を被覆するとともに前記係止ギアの前記各歯部に対向し、開閉可能に設けられた被覆部材と、前記係止ギアにおける前記各歯部のうち一対の歯部の間に係止されるように、前記被覆部材における前記係止ギアに対向する位置に取り付けられた係止片とを備え、前記被覆部材が閉状態となり、前記両搬送ローラによって前記ロール紙の先端部を挟持した状態のときに、前記係止ギアの前記両歯部に前記係止片が係止されることにより、前記ロール紙を逆方向に搬送するための前記両搬送ローラの回転を停止させ、前記ロール紙を正方向に搬送する際の前記係止ギアの回転にともなって前記係止片が前記係止ギアの両歯部から係止解除される方向に移動することにより、前記被覆部材を開状態とするロール紙カートリッジが着脱可能に装着されており、
前記ロール紙カートリッジにおける前記第１搬送ローラに回転の駆動力を伝達する駆動力伝達手段を備えていることを特徴とするプリンタ。
【発明の詳細な説明】
【技術分野】
【０００１】
本発明はロール紙カートリッジおよびプリンタに係り、特に、ロール紙をロール紙カートリッジの内部からプリンタの記録部への正方向、および正方向と逆方向に往復可能に搬送する紙搬送機構を備えたロール紙カートリッジ、およびこのロール紙カートリッジが装着されるプリンタに関する。
【背景技術】
【０００２】
従来より、ロール紙カートリッジからロール紙を引き出して記録を行うプリンタが、コストの低廉化等の観点から用いられている（例えば、特許文献１参照）。
【０００３】
例えば、従来のロール紙カートリッジは、ボビンに巻回された長尺状のロール紙を有しており、ロール紙の周面の近傍には、ロール紙におけるボビンに巻回されている部分から引き出された部分を両面から挟持し、回転可能に設けられた一対の搬送ローラが設けられている。
【０００４】
そして、これらのロール紙および両搬送ローラは、カートリッジケースに収納されてロール紙カートリッジとされており、カートリッジケースにおける両搬送ローラの近傍には、ロール紙をロール紙カートリッジの内部から外部に引き出すための搬送口が形成されている。
【０００５】
このロール紙カートリッジが装着されるプリンタにおいては、イエロー、マゼンタ、シアン等のインクが塗布された着色領域が連続した長尺なインクリボンシートが収納されたリボンカートリッジが、ロール紙カートリッジの近傍に装着されるようになっており、インクリボンシートの両端部は、筒状のボビンにそれぞれ巻回されている。また、プリンタは、ロール紙カートリッジから引き出されたロール紙に記録を行う記録部を備えており、記録部は、複数の発熱素子を備えた記録ヘッドと、記録ヘッドにおける各発熱素子にインクリボンシートおよびロール紙を介して対向する位置に回転可能に設けられた円筒形状のプラテンとを備えている。さらに、プリンタは、両搬送ローラのうち一方の第１搬送ローラに回転の駆動力を伝達する駆動伝達手段を備えている。
【０００６】
そして、プリンタは、駆動伝達手段によって第１搬送ローラを所定の方向に回転させることにより、ロール紙をロール紙カートリッジの内部から搬送口を介して記録部へ送り出す正方向に搬送するようになっている。
【０００７】
ここで、前述のようなプリンタにおいてカラー印刷を行う場合には、記録を行う長さ分のロール紙を正方向に搬送させた後、ロール紙をボビンに巻き戻すように逆方向に搬送させながら、インクリボンシートにおける１つの着色領域を用いて記録を行うようになっている。さらに、プリンタは、他の着色領域を用いて記録を行うために、ロール紙を正方向に搬送させた後、逆方向に搬送させながら記録を行うようになっている。
【０００８】
このため、前述のようなプリンタは、ボビンに回転の駆動力を伝達するための駆動伝達手段を備え、搬送ローラ用の駆動伝達手段によって第１搬送ローラを正方向と逆方向に回転させるとともに、ボビン用の駆動伝達手段によってボビンを回転させることにより、ロール紙をプリンタの記録部からロール紙カートリッジの内部側へ逆方向に搬送するようになっている。
【０００９】
【特許文献１】特許第３１３４８７１号公報
【発明の開示】
【発明が解決しようとする課題】
【００１０】
しかし、前述のような、両搬送ローラの回転によってロール紙を正方向および逆方向に往復可能に搬送するプリンタにおいては、ロール紙を逆方向に搬送する際に、ロール紙の先端部が両搬送ローラの挟持から外れてロール紙カートリッジの内部に巻き戻されてしまうと、ロール紙がカートリッジケースから引き出すことができなくなってしまうこととなる。このような場合には、ロール紙カートリッジの内部にロール紙が残っているにもかかわらず、ロール紙カートリッジを使用することができなくなってしまうという問題を有していた。
【００１１】
そこで、従来のプリンタには、ロール紙カートリッジが装着された状態におけるカートリッジケースの搬送口の近傍に、搬送口から引き出されたロール紙の有無を検出するセンサが設けられている。そして、このプリンタにおいては、ロール紙を逆方向に搬送する際に、センサによって搬送口の近傍におけるロール紙の有無を監視し、ロール紙が存在しなくなったことを検出した場合には、搬送ローラの逆方向の回転を停止することが考えられている。
【００１２】
これにより、従来のプリンタは、ロール紙の先端部が両搬送ローラの挟持から外れてロール紙カートリッジの内部に巻き戻されてしまうのを防止するようになっているが、このためには、カートリッジケースの搬送口から引き出されたロール紙の有無を検出するセンサを設けなければならなかった。
【００１３】
本発明はこれらの点に鑑みてなされたものであり、センサを設けることなく、ロール紙の先端部が両搬送ローラの挟持から外れてしまうのを容易に防止することが可能なロール紙カートリッジおよびプリンタを提供することを目的とする。
【課題を解決するための手段】
【００１４】
前記目的を達成するため、本発明に係るロール紙カートリッジの特徴は、ロール紙が収納され、プリンタに着脱可能に装着されるロール紙カートリッジであって、前記ロール紙を前記プリンタにおいて記録が行われる記録部へ引き出す搬送口と、前記ロール紙を挟持する一対の搬送ローラと、周縁部に複数の歯部が形成され、前記両搬送ローラのうち第１搬送ローラと同軸上に固着されて前記第１搬送ローラとともに回転する係止ギアと、前記係止ギアの前記各歯部に対向し、前記搬送口を開放あるいは閉鎖しうるように開閉可能に設けられた被覆部材と、前記係止ギアにおける前記各歯部のうち一対の歯部の間に係止されるように、前記被覆部材における前記係止ギアに対向する位置に取り付けられた係止片とを備え、前記ロール紙を前記記録部方向への正方向、および該正方向と反対の逆方向に往復可能に搬送し、前記被覆部材が閉状態となり、前記両搬送ローラによって前記ロール紙の先端部を挟持した状態のときに、前記係止ギアの前記両歯部に前記係止片が係止されることにより、前記ロール紙を逆方向に搬送するための前記両搬送ローラの回転を停止させ、前記ロール紙を正方向に搬送する際の前記係止ギアの回転にともなって前記係止片が前記係止ギアの両歯部から係止解除される方向に移動することにより、前記被覆部材を開状態とする点にある。
【００１５】
この本発明に係るロール紙カートリッジによれば、被覆部材が閉状態となり、両搬送ローラによってロール紙の先端部を挟持した状態のときに、係止ギアの両歯部に係止片を係止させることができるので、これにより、両搬送ローラによってロール紙の先端部を挟持した状態において、第１搬送ローラの逆方向への回転を停止させることができる。
【００１６】
また、本発明に係るロール紙カートリッジによれば、ロール紙を搬送するときを除いて搬送口が被覆部材により被覆されているので、ロール紙を搬送するとき以外に、ロール紙カートリッジ内にごみ等の異物が入り込んでしまうのを防止することができる。
【００１７】
また、本発明に係る他のロール紙カートリッジの特徴は、前記記録部における記録に用いられるインクリボンが収納されるインクリボンカセットが、一体に形成されている点にある。
【００１８】
本発明に係る他のロール紙カートリッジによれば、インクリボンカセットが、一体に形成されているロール紙カートリッジにおいて、被覆部材が閉状態となり、両搬送ローラによってロール紙の先端部を挟持した状態のときに、係止ギアの両歯部に係止片を係止させることができるので、これにより、両搬送ローラによってロール紙の先端部を挟持した状態において、第１搬送ローラの逆方向への回転を停止させることができる。
【００１９】
さらに、本発明に係るプリンタの特徴は、内部にロール紙が収納され、前記ロール紙を記録が行われる記録部へ引き出す搬送口と、前記ロール紙を挟持し、回転によって前記ロール紙を前記記録部への正方向、および該正方向と反対の逆方向に往復可能に搬送する一対の搬送ローラと、周縁部に複数の歯部が形成され、前記両搬送ローラのうち第１搬送ローラと同軸上に固着されて前記第１搬送ローラとともに回転する係止ギアと、前記搬送口を被覆するとともに前記係止ギアの前記各歯部に対向し、開閉可能に設けられた被覆部材と、前記係止ギアにおける前記各歯部のうち一対の歯部の間に係止されるように、前記被覆部材における前記係止ギアに対向する位置に取り付けられた係止片とを備え、前記被覆部材が閉状態となり、前記両搬送ローラによって前記ロール紙の先端部を挟持した状態のときに、前記係止ギアの前記両歯部に前記係止片が係止されることにより、前記ロール紙を逆方向に搬送するための前記両搬送ローラの回転を停止させ、前記ロール紙を正方向に搬送する際の前記係止ギアの回転にともなって前記係止片が前記係止ギアの両歯部から係止解除される方向に移動することにより、前記被覆部材を開状態とするロール紙カートリッジが着脱可能に装着されており、前記ロール紙カートリッジにおける前記第１搬送ローラに回転の駆動力を伝達する駆動力伝達手段を備えている点にある。
【００２０】
さらに、本発明に係るプリンタによれば、ロール紙カートリッジにおける被覆部材が閉状態となり、両搬送ローラによってロール紙の先端部を挟持した状態のときに、係止ギアの両歯部に係止片が係止するので、これにより、両搬送ローラによってロール紙の先端部を挟持した状態で第１搬送ローラの逆方向への回転を停止させることができる。
【００２１】
また、プリンタによれば、装着されたロール紙カートリッジにおいてロール紙を搬送するときを除いて搬送口が被覆部材により被覆されているので、ロール紙を搬送するとき以外に、ロール紙カートリッジ内にごみ等の異物が入り込んでしまうのを防止することができる。
【発明の効果】
【００２２】
以上述べたように、本発明に係るロール紙カートリッジによれば、従来のように、ロール紙の存否を検出するためのロール紙センサを備える必要がなく、ロール紙の先端部が両搬送ローラの挟持から外れてしまうのを容易に防止することができる。これにより、ロール紙カートリッジを装着するプリンタの製造コストの低廉化を図ることができる。
【００２３】
また、ロール紙を搬送するとき以外に、ロール紙カートリッジ内にごみ等の異物が入り込んでしまうのを防止することができるので、これにより、ロール紙に異物が付着して記録品質が低下してしまうのを低減、防止することができる。
【００２４】
また、本発明に係るプリンタによれば、従来のように、ロール紙の存否を検出するためのロール紙センサを備える必要がなく、ロール紙の先端部が両搬送ローラの挟持から外れてしまうのを容易に防止することができる。これにより、プリンタの製造コストの低廉化を図ることができる。
【００２５】
また、ロール紙を搬送するとき以外に、ロール紙カートリッジ内にごみ等の異物が入り込んでしまうのを防止することができるので、これにより、ロール紙に異物が付着して記録品質が低下してしまうのを低減、防止することができる。
【発明を実施するための最良の形態】
【００２６】
以下、本発明に係るロール紙カートリッジを装着したプリンタの一実施形態を図１から図６を参照して説明する。
【００２７】
図１は、本実施形態に係るロール紙カートリッジを装着したプリンタを示す概略断面図であり、図１に示すように、ロール紙カートリッジ１は、円筒状のボビン２に巻回された長尺状のロール紙３を有している。図２に示すように、ロール紙３は、カートリッジケース５におけるロール紙３の周面をほぼ被覆するロール紙収納部５ａの内部に収納されており、ボビン２の一端部には、ボビン２に回転の駆動力を伝達するための巻き戻し用ギア７が、ボビン２と同軸上に固着され、ボビン２とともに回転するように取り付けられている。ロール紙収納部５ａの周面には、ロール紙３をロール紙収納部５ａの内部から外部に引き出すための第１搬送口５ｂが形成されている。
【００２８】
ロール紙収納部５ａの外部であって第１搬送口５ｂの近傍には、ロール紙３におけるボビン２に巻回された部分から第１搬送口５ｂを介して引き出された部分を、両面から挟持する一対の搬送ローラ９が回転可能に設けられている。図３および図４に示すように、両搬送ローラ９のうち一方の第１搬送ローラ９ａ（９）の一端部には、第１搬送ローラ９ａと同軸上に固着され第１搬送ローラ９ａとともに回転する係止ギア１０が取り付けられており、係止ギア１０の周縁部には、複数の歯部１０ａが突出して形成されている。
【００２９】
また、第１搬送ローラ９ａにおける係止ギア１０が取り付けられている一端部には、第１搬送ローラ９ａに回転の駆動力を伝達するための搬送ギア１１が、第１搬送ローラ９ａと同軸上に固着され、第１搬送ローラ９ａおよび係止ギア１０とともに回転するように取り付けられており、搬送ギア１１の周縁部には、複数の歯部１１ａが突出して形成されている。そして、第１搬送ローラ９ａは、搬送ギア１１の回転とともにロール紙３をロール紙収納部５ａの内部から外部方向への正方向、および正方向と反対の逆方向に回転し、これにより、ロール紙３を往復可能に搬送するようになっている。また、両搬送ローラ９のうち他方の第２搬送ローラ９ｂ（９）は、第１搬送ローラ９ａの回転に従動するようになっている。
【００３０】
両搬送ローラ９は、カートリッジケース５における両搬送ローラ９をほぼ被覆する搬送ローラ収納部５ｃの内部に収納されており、搬送ローラ収納部５ｃは、ロール紙収納部５ａの外面に接するように連設されている。搬送ローラ収納部５ｃには、ロール紙３を搬送ローラ収納部５ｃの内部から外部に引き出すための第２搬送口５ｄが形成されている。
【００３１】
カートリッジケース５には、第２搬送口５ｄを被覆する被覆部材１３が係止ギア１０の各歯部１０ａの一部分に対向するように設けられており、被覆部材１３は、搬送ローラ収納部５ｃにおける第２搬送口５ｄの開口縁の両端部に形成された取付軸１５に軸支され、取付軸１５を中心として第２搬送口５ｄを開放および閉鎖するように開閉可能に設けられている。被覆部材１３における係止ギア１０の各歯部１０ａに対向する面には、被覆部材１３が閉状態の時に、係止ギア１０における各歯部１０ａのうち一対の歯部１０ａの間に係止される係止片１６が被覆部材１３から突出して設けられている。
【００３２】
また、搬送ローラ収納部５ｃの内部には、被覆部材１３における開閉の中心となる基端部分とロール紙収納部５ａの外面とを連結する伸縮部材１７が、この伸縮部材１７の自由状態において被覆部材１３が閉状態となるように取り付けられている。伸縮部材１７の一端部は、被覆部材１３の前記基端部分において搬送ローラ収納部５ｃの内部の方向に突出して形成された係止爪１８に係止され、伸縮部材１７の他端部は、ロール紙収納部５ａの周面であって第２搬送口５ｄにおける被覆部材１３が取り付けられている開口縁の方向に突出して形成された係止軸１９の先端に係止されている。
【００３３】
また、ロール紙カートリッジ１におけるロール紙収納部５ａの外部近傍には、イエロー、マゼンタ、シアン等のインクが塗布された着色領域が連続した長尺なインクリボンシート２１が収納されたインクリボンカートリッジ２２が配設されており、インクリボンシート２１の一端部側は筒状の巻取用ボビン２５に、前記インクリボンシート２１の他端部は筒状の供給用ボビン２６に、それぞれ巻回されている。
【００３４】
巻取用ボビン２５は、インクリボンカートリッジ２２における巻取用ボビン２５に巻回されたインクリボンシート２１をほぼ被覆する巻取用ボビン収納部２２ａの内部に収納されており、巻取用ボビン収納部２２ａは、ロール紙収納部５ａ外面に接するように連設されている。また、供給用ボビン２６は、インクリボンカートリッジ２２における供給用ボビン２６に巻回されたインクリボンシート２１をほぼ被覆する供給用ボビン収納部２２ｂの内部に収納されており、供給用ボビン収納部２２ｂはロール紙収納部５ａおよび巻取用ボビン収納部２２ａの外面から離間する位置に配置され、それぞれ連結壁５ｅ、５ｆによってロール紙収納部５ａおよび巻取用ボビン収納部２２ａの外面に連設されている。これにより、インクリボンカートリッジ２２は、ロール紙カートリッジ１と一体に形成されている。
【００３５】
巻取用ボビン収納部２２ａと供給用ボビン収納部２２ｂとを連結する連結壁５ｅには、インクリボンシート２１の供給用ボビン２６から巻取用ボビン２５への搬送経路の途中に対向する位置に、インクリボンシート２１の両面をカートリッジケース５から露出させるための図示しない開口が形成されている。
【００３６】
巻取用ボビン収納部２２ａには、供給用ボビン２６の方向から搬送されたインクリボンシート２１を巻取用ボビン収納部２２ａの内部へ搬送するための第３搬送口２２ｃが形成されており、インクリボンシート２１は、第３搬送口２２ｃの近傍に配設されたガイドローラ２８に案内されて、第３搬送口２２ｃから巻取用ボビン２５に搬送されるようになっている。また、供給用ボビン収納部２２ｂには、供給用ボビン２６に巻回されたインクリボンシート２１を供給用ボビン収納部２２ｂの内部から巻取用ボビン２５の方向に搬送するための第４搬送口２２ｄが形成されており、インクリボンシート２１は、第４搬送口２２ｄの近傍に配設されたガイドローラ２９に案内されながら、供給用ボビン２６から第４搬送口２２ｄに搬送されるようになっている。
【００３７】
そして、ロール紙３、両搬送ローラ９およびインクリボンシート２１は、ロール紙収納部５ａ、搬送ローラ収納部５ｃ、および供給用ボビン収納部２２ｂと巻取用ボビン収納部２２ａとを備えたインクリボンカートリッジ２２からなるカートリッジケース５にそれぞれ収納されて、ロール紙カートリッジ１とされており、ロール紙カートリッジ１は、プリンタ３０に着脱可能に装着されるようになっている。
【００３８】
このロール紙カートリッジ１が装着されるプリンタ３０は、ロール紙カートリッジ１から引き出されたロール紙３に記録を行う記録部３１を備えており、記録部３１は、複数の発熱素子を備えた記録ヘッド３２と、記録ヘッド３２における各発熱素子にインクリボンシート２１およびロール紙３を介して対向する位置に回転可能に設けられた円筒形状のプラテン３３とを備えている。
【００３９】
ロール紙３の搬送経路の近傍であって、ロール紙３の正方向の搬送方向における記録部３１よりも上流側には、記録部３１における記録が終了したロール紙３を所定の長さ寸法に切断する切断部３５が配設されており、切断部３５の近傍には、切断されたロール紙３を保持する保持部３６が配設されている。切断部３５と保持部３６との間には、切断されたロール紙３を保持部３６に案内する案内部３７が設けられており、案内部３７は、ロール紙３を挟持して搬送する回転可能に設けられた一対の搬送ローラ３７ａと、ロール紙３の搬送経路を決定する案内レバー３７ｂとを備えている。案内部３７は、ロール紙３を正方向に搬送するにあたり、後に再度逆方向に搬送する場合には、案内レバー３７ｂの案内面を搬送ローラ３７ａの周面から離間するように位置させるようになっており、後に再度逆方向に搬送しない場合には、案内レバー３７ｂの案内面を搬送ローラ３７ａの周面に対向して位置させて、搬送ローラ３７ａの周面と案内レバー３７ｂの案内面とによってロール紙３を保持部３６の方向へ案内するようになっている。
【００４０】
プリンタ３０には、ロール紙３の正方向の搬送方向における記録部３１よりも下流であってロール紙３の搬送経路における第３搬送口２２ｃの近傍に、ロール紙３を両面から挟持する一対のプリンタ側搬送ローラ３８が回転可能に設けられており、両プリンタ側搬送ローラ３８のうち一方の第１プリンタ側搬送ローラ３８ａ（３８）は、図示しない駆動モータに接続されて回転駆動するようになっている。そして、プリンタ３０は、ロール紙カートリッジ１の両搬送ローラ９によってロール紙カートリッジ１から引き出すように搬送されたロール紙３を、両プリンタ側搬送ローラ３８の正方向の回転によってさらに正方向に搬送するとともに、両プリンタ側搬送ローラ３８の逆方向の回転によってロール紙３をロール紙カートリッジ１の方向に逆方向に搬送するようになっている。
【００４１】
プリンタ３０には、ロール紙３の搬送経路におけるロール紙カートリッジ１の両搬送ローラ９からプリンタ３０の両プリンタ側搬送ローラ３８の間に、搬送経路を介して対置され、搬送されるロール紙３を挟持する複数のガイドローラ３９が回転可能に設けられており、ロール紙３は、各ガイドローラ３９に案内されながら、所定の搬送経路に搬送されるようになっている。プリンタ３０における第３搬送口２２ｃの近傍には、インクリボンシート２１に形成されたマークによってインクリボンシート２１における各着色領域の開始端縁を検出するリボンセンサ４０が設けられている。
【００４２】
さらに、プリンタ３０には、ロール紙カートリッジ１を装着したときに、ボビン２の一端部に固着された巻き戻し用ギア７に噛合して巻き戻し用ギア７に回転の駆動力を伝達するための駆動伝達手段としての巻き戻し駆動ギア４１が回転可能に設けられており、巻き戻し駆動ギア４１は、図示しない駆動モータに接続されて回転するようになっている。さらにまた、プリンタ３０には、ロール紙カートリッジ１を装着したときに第１搬送ローラ９ａの一端部に固着された搬送ギア１１に噛合して搬送ギア１１に回転の駆動力を伝達するための駆動伝達手段としての搬送駆動ギア４２が回転可能に設けられており、搬送駆動ギア４２は、図示しない駆動モータに接続されて回転するようになっている。
【００４３】
そして、プリンタ３０は、駆動モータによって搬送駆動ギア４２を正方向（図１において矢印Ａの反時計回り）に回転させることにより、搬送駆動ギア４２に噛合された搬送ギア１１を正方向（図１において矢印Ｂの時計回り）に回転させるとともに、搬送ギア１１と同軸の第１搬送ローラ９ａを搬送ギア１１と同様に正方向に回転させるようになっている。プリンタ３０は、この第１搬送ローラ９ａに従動させて第２搬送ローラ９ｂを回転させることにより、両搬送ローラ９によって挟持されて搬送されたロール紙３を、プリンタ側搬送ローラ３８、ガイドローラ３９によって挟持しながら所定の張力をもってロール紙カートリッジ１の内部から記録部３１の方向への正方向（図１において矢印Ｃ方向）に搬送するようになっている。
【００４４】
また、プリンタ３０は、駆動モータによって巻き戻し駆動ギア４１を逆方向（図１において矢印Ｄの反時計回り）に回転させることにより、巻き戻し駆動ギア４１に噛合された巻き戻し用ギア７を逆方向（図１において矢印Ｅの時計回り）に回転させるとともに、巻き戻し用ギア７と同軸を中心にして巻き戻し用ギア７と同様にボビン２を逆方向に回転させる。プリンタ３０は、このボビン２の逆方向の回転により、ボビン２に巻回されたロール紙３を記録部３１からロール紙カートリッジ１の内部へ巻き戻す逆方向に搬送するようになっている。
【００４５】
次に、本実施形態に係る作用について説明する。
【００４６】
まず、ロール紙カートリッジ１においては、図３に示すように、被覆部材１３が閉状態であって係止片１６が係止ギア１０の両歯部１０ａに係止している状態で搬送ギア１１の回転により第１搬送ローラ９ａが正方向に回転すると、第１搬送ローラ９ａと同軸を中心として第１搬送ローラ９ａとともに係止ギア１０も回転する。
【００４７】
すると、図５に示すように、係止ギア１０の両歯部１０ａに係止された係止片１６は、係止ギア１０の歯部１０ａに押圧されて図５における下方向に移動し、両歯部１０ａに対する係止が解除される。続いて、ロール紙カートリッジ１においては、この係止片１６の移動とともに、係止片１６が固着された被覆部材１３が移動して開状態となって第２搬送口５ｄが開放され、この第２搬送口５ｄを介してロール紙３をカートリッジケース５の内部から外部への正方向に搬送する。このとき、被覆部材１３の基端部に取り付けられた伸縮部材１７は、被覆部材１３の開状態の方向への移動にともなって伸びることとなる。
【００４８】
さらに、図６に示すように、ロール紙カートリッジ１がプリンタ３０のプリンタ側搬送ローラ３８、各ガイドローラ３９に挟持されながら所定の張力をもって正方向に搬送されると、被覆部材１３は、被覆部材１３の開口端縁がロール紙３の一面によって支持されることにより開状態を維持し、ロール紙カートリッジ１は、開放された第２搬送口５ｄを介してロール紙３を正方向に搬送する。
【００４９】
続いて、ロール紙３を記録部３１からロール紙カートリッジ１の内部へ逆方向に搬送する場合、ロール紙カートリッジ１においては、巻き戻し用ギア７の逆方向の回転によりボビン２が逆方向に回転して、ロール紙３をロール紙カートリッジ１の内部へ巻き戻すように逆方向に搬送する。これにより、ロール紙３の先端部が各ガイドローラ３９の挟持から外れると、ロール紙３の搬送中にロール紙３に付与されていた張力が解除されることにより、張力をもって搬送されていたロール紙３の一面による被覆部材１３の開口端縁の支持が解除されるので、被覆部材１３が、自由状態に戻ろうとする伸縮部材１７の縮みによって移動し閉鎖状態となる。すると、図３に示すように、被覆部材１３の移動とともに係止片１６が移動して、逆方向に回転する係止ギア１０の両歯部１０ａの間に係止されるので、係止ギア１０の逆方向への回転は停止し、これにともなって第１搬送ローラ９ａの逆方向の回転も停止する。この結果、ロール紙カートリッジ１においては、両搬送ローラ９によってロール紙３の先端部を挟持した状態で両搬送ローラ９の逆方向の回転が停止することとなる。
【００５０】
前述のように、被覆部材１３が閉状態となり、両搬送ローラ９によってロール紙３の先端部を挟持した状態のときに、係止ギア１０の両歯部１０ａに係止片１６が係止することができるので、これにより、両搬送ローラ９によってロール紙３の先端部を挟持した状態で第１搬送ローラ９ａの逆方向への回転を停止させることができる。
【００５１】
したがって、従来のように第２搬送口５ｄの近傍にロール紙３の存否を検出するためのロール紙３センサを備える必要がなく、ロール紙３の先端部が両搬送ローラ９の挟持から外れてしまうのを容易に防止することができる。これにより、ロール紙カートリッジ１を装着するプリンタ３０の製造コストの低廉化を図ることができる。
【００５２】
また、ロール紙カートリッジ１においては、ロール紙３を搬送するときを除いて第２搬送口５ｄが被覆部材１３により被覆されているので、ロール紙３を搬送するとき以外に、ロール紙カートリッジ１内にごみ等の異物が入り込んでしまうのを防止することができる。これにより、ロール紙３に異物が付着して記録品質が低下してしまうのを低減、防止することができる。
【００５３】
なお、本発明は前記実施形態に限定されるものではなく、必要に応じて種々変更することが可能である。
【００５４】
例えば、本実施形態においては、第１搬送ローラ９ａの一端部に係止片１６に係止される係止ギア１０および第１搬送ローラ９ａに回転の駆動力を伝達する搬送ギア１１が取り付けられているが、これに限定されるものではなく、係止ギア１０が搬送ギア１１としても作用するようにしてもよい。
【００５５】
また、第１搬送ローラ９ａは、プリンタ３０に設けられた駆動モータの駆動によって搬送駆動ギア４２および搬送ギア１１を介して回転するようになっているが、これに限定されるものではなく、他の駆動手段によって回転するようにしてもよい。
【００５６】
さらに、本実施形態においては、インクリボンカートリッジが一体となっているロール紙カートリッジについて説明しているが、本発明はこれに限定されるものではなく、インクリボンカートリッジ一体となっていないロール紙カートリッジに適用することも可能である。
【図面の簡単な説明】
【００５７】
【図１】本発明に係るロール紙カートリッジを装着したプリンタの一実施形態を示す概略断面側面図
【図２】図１のロール紙カートリッジを示す分解斜視図
【図３】図１のロール紙カートリッジにおける搬送ローラ収納部を示す概略断面図
【図４】図１のロール紙カートリッジがプリンタに装着された場合を示す平面図
【図５】図３の搬送ローラ収納部において係止片が搬送ギアにおける係止から解除された状態を示す概略断面図
【図６】図３の搬送ローラ収納部において被覆部材の開状態を示す概略断面図
【符号の説明】
【００５８】
１  ロール紙カートリッジ
３  ロール紙
５  カートリッジケース
５ａ  ボビン収納部
５ｂ  第１搬送口
５ｃ  搬送ローラ収納部
５ｄ  第２搬送口
９  搬送ローラ
９ａ  第１搬送ローラ
９ｂ  第２搬送ローラ
１０  係止ギア
１０ａ  歯部
１１  搬送ギア
１１ａ  歯部
１３  被覆部材
１５  取付軸
１６  係止片
１７  伸縮部材
１８  係止爪
１９  係止軸
２９  ガイドローラ
３８  プリンタ側搬送ローラ
３９  ガイドローラ
４１  巻き戻し駆動ギア
４２  搬送駆動ギア
【図１】
2009113400.tif 000003
【図２】
2009113400.tif 000004
【図３】
2009113400.tif 000005
【図４】
2009113400.tif 000006
【図５】
2009113400.tif 000007
【図６】
2009113400.tif 000008